(57)【要約】【課題】より効率良く氷を取り出すことを可能とする貯氷器を提供することである。【解決手段】貯氷器１０は、製氷された複数の氷を収納する収納部１２と、収納部１２の底面部に設けられ、氷が溶けて生成される水を排出する排出部１４と、を備え、収納部１２は、複数の氷を支持する網目を含む網目部１６と、網目部１６が着脱可能に装着される凹部を含む収納本体部１８と、を有することを特徴とする。【選択図】図１
0003204920.tif 000002
【実用新案登録請求の範囲】
【請求項１】
製氷された複数の氷を収納する収納部と、
前記収納部の底面部に設けられ、前記氷が溶けて生成される水を排出する排出部と、
を備え、
前記収納部は、
前記複数の氷を支持する網目を含む網目部と、
前記網目部が着脱可能に装着される凹部を含む収納本体部と、を有することを特徴とする貯氷器。
【請求項２】
請求項１に記載の貯氷器において、
前記収納部の端部に設けられ、前記収納部が載置される載置対象物の縁部に係止されるストッパー部をさらに備えることを特徴とする貯氷器。
【請求項３】
請求項２に記載の貯氷器において、
前記ストッパー部は、
所定の幅と長さを有する板部と、
前記板部を前記底面部に対し略垂直となるような起立位置と前記底面部に対し略水平となるような収納位置の間で回動させる回動機構と、
を有することを特徴とする貯氷器。
【考案の詳細な説明】
【技術分野】
【０００１】
本考案は、貯氷器に関する。
【背景技術】
【０００２】
従来、飲食店などにおいて製氷機が設置されており、店員などが必要に応じて製氷機の蓋を開けて氷を取り出し、その氷を飲み物の中に入れて提供している。本考案に関連する技術として、例えば、特許文献１には、すっきりした外観を実現でき、蓋体とタンク本体との良好な接合強度を確保できる、蓋体の脱着が容易な構造を有する雨水貯留タンクが開示されている。この雨水貯留タンクのタンク本体は、前面下部に横断面視半円形状の凹面が形成されており、この凹面の上部側には、取水口としてのＬ字状の蛇口が、楕円形状の前面よりも前方に突き出さないように、水平方向に突出して設けられた構造が開示されている。
【先行技術文献】
【特許文献】
【０００３】
【特許文献１】特開２０１１−４７２５６号公報
【考案の概要】
【考案が解決しようとする課題】
【０００４】
ところで、上記のように、店員などが製氷機の蓋を開けて、氷を逐一取り出していると、飲み物の注文数が多くなる時に、その度に蓋を開閉する必要があり、時間的なロスが生じてしまう。
【０００５】
本考案の目的は、より効率良く氷を取り出すことを可能とする貯氷器を提供することである。
【課題を解決するための手段】
【０００６】
本考案に係る貯氷器は、製氷された複数の氷を収納する収納部と、前記収納部の底面部に設けられ、前記氷が溶けて生成される水を排出する排出部と、を備え、前記収納部は、  前記複数の氷を支持する網目を含む網目部と、前記網目部が着脱可能に装着される凹部を含む収納本体部と、を有することを特徴とする。
【０００７】
また、本考案に係る貯氷器において、前記収納部の端部に設けられ、前記収納部が載置される載置対象物の縁部に係止されるストッパー部をさらに備えることが好ましい。
【０００８】
また、本考案に係る貯氷器において、前記ストッパー部は、所定の幅と長さを有する板部と、前記板部を前記底面部に対し略垂直となるような起立位置と前記底面部に対し略水平となるような収納位置の間で回動させる回動機構と、を有することが好ましい。
【考案の効果】
【０００９】
本考案によれば、製氷機から取り出された複数の氷を入れて持ち運びできる網目部と、この網目部が着脱される収納部を有している。これにより、複数の氷が製氷機から出された状態で保持される。したがって、より効率良く氷を取り出することができる。
【図面の簡単な説明】
【００１０】
【図１】本考案に係る実施形態の貯氷器を示す図である。
【図２】本考案に係る実施形態の貯氷器の収納本体部を内部又は外部から底面を見た場合の様子を示す図である。
【図３】本考案に係る実施形態において、作業者が作業台に貯氷器を設置して使用している様子を示す図である。
【考案を実施するための形態】
【００１１】
以下に、本考案に係る実施の形態について添付図面を参照しながら詳細に説明する。  以下では、全ての図面において同様の要素には同一の符号を付し、重複する説明を省略する。また、本文中の説明においては、必要に応じそれ以前に述べた符号を用いるものとする。
【００１２】
図１は、貯氷器１０を示す図である。図２（ａ）は、貯氷器１０の収納本体部１８を内部から底面を見た場合の様子を示す図である。図２（ｂ）は、貯氷器１０の収納本体部１８を外部から底面を見た場合の様子を示す図である。図３は、飲食店の店員６が作業台８に貯氷器１０を設置して作業を行っている様子を示す図である。
【００１３】
貯氷器１０は、収納部１２と排出部１４とを備える。貯氷器１０は、製氷された複数の氷を簡単に取り出すことができる状態で保持する器具である。収納部１２は、図示しない製氷機によって製氷された複数の氷を収納する機能を有する。収納部１２は、網目部１６と、収納本体部１８とを備える。
【００１４】
網目部１６は、所定の孔面積を有する複数の孔が形成され、上面が開放された略箱型形状の網部材である。所定の孔面積は、保持する氷の大きさにより設定するのが望ましく、例えば、２５ｍｍ２に設定することが考えられる。網目部１６は、適度な強度を有する材料で構成されることが好ましく、例えば、プラスチックやステンレスなどを用いて構成することが好適である。
【００１５】
網目部１６は、収納本体部１８に対する着脱のしやすさを考慮して、収納本体部１８のサイズよりも少し小さめに設定することが好ましい。網目部１６は、店員６が持ち運びする部材であるため、安全性を考慮して、各縁部において丸みを有するように形成することが好適である。
【００１６】
収納本体部１８は、上面が開放された略箱型形状を有している。収納本体部１８は、網目部１６が着脱可能に装着される空間領域である凹部を備えている。収納本体部１８は、適度な強度を有する材料で構成されることが好ましく、例えば、プラスチックやステンレスなどを用いて構成することが好ましい。
【００１７】
収納本体部１８のサイズは、例えば、横方向に５０ｃｍ、縦方向に３０ｃｍ、高さ方向に２０ｃｍに設定することができるが、保持したい氷の量に応じて適宜変更することができる。また、収納本体部１８も網目部１６と同様に、各縁部において丸みを有するように形成することが好ましい。
【００１８】
収納本体部１８の底面部には、排出部１４とストッパー部２０が設けられている。排出部１４は、網目部１６に保持された氷が溶けて生成される水を排出する部材である。ここで、収納本体部１８の横方向の中央部に設けられた排出部を排出部１４ａとし、収納本体部１８の縦方向の中央部に設けられた排出部を排出部１４ｂとする。
【００１９】
図２には、排出部１４ｂの周辺構造を示しているが、排出部１４ａも同一の構造であるため、ここでは、排出部１４ｂを用いて説明し、排出部１４ａの説明は省略する。排出部１４ａは、水を流通させるための貫通孔を有する筒状の部材である。排出部１４ｂは、適度な強度を有する材料で構成されることが好ましく、例えば、プラスチックやステンレスなどを用いて構成することが好適である。
【００２０】
排出部１４は、図２（ａ）に示されるように、収納本体部１８の底面部に形成された溝部内に配置されており、そのまま延伸して図２（ｂ）に示されるように外部に突出するように設けられている。また、収納本体部１８の底面部は、溝部に向けて水が流れ込むように傾斜が形成されている。
【００２１】
ストッパー部２０は、収納本体部１８の底面部の端部に設けられ、収納部１２が載置される作業台８の縁部に係止される部材である。ストッパー部２０は、所定の幅と長さを有する板部２１と、板部２１を収納本体部１８の底面部に対し略垂直となるような起立位置と収納本体部１８の底面部に対し略水平となるような収納位置の間で回動させる回動機構２２とを備えている。ここで、収納本体部１８の横方向に沿ってに設けられたストッパー部をストッパー部２０ａとし、収納本体部１８の縦方向に沿って設けられたストッパー部をストッパー部２０ｂとする。
【００２２】
図２には、ストッパー部２０ｂの周辺構造を示しているが、ストッパー部２０ａも同一の構造であるため、ここでは、ストッパー部２０ｂを用いて説明し、ストッパー部２０ａの説明は省略する。
【００２３】
ストッパー部２０ｂの板部２１ｂは、収納本体部１８の底面部において長手方向の縁部の一方側に所定の間隔をおいて設けられている。板部２１ｂは、例えば、幅を５ｃｍとし、高さを１０ｃｍとし、厚みを１ｃｍに設定することができる。板部２１ｂは、適度な強度を有する材料で構成されることが好ましく、例えば、プラスチックやステンレスなどを用いて構成することが好適である。
【００２４】
ストッパー部２０ｂの回転機構２２ｂは、板部２１ｂを底面部に対し略垂直となるような起立状態を保持するための保持部材を備えている。また、回転機構２２ｂは、板部２１ｂを起立状態から底面部に対し略水平となるように折り畳んだ収納状態となるように回転軸部材を備えている。
【００２５】
続いて、上記構成の貯氷器１０の作用について、図１〜図３を用いて説明する。飲食店などの繁忙期は、飲み物の注文が多く、製氷機の蓋を逐一開けて氷を取り出すと作業効率が落ちてしまう。そのため、店員６は、図３に示されるように、作業台８の上面に貯氷器１０を設置する。
【００２６】
図３では、短手方向である縦方向を手前側にして貯氷器１０を設置している。このとき、ストッパー部２０ｂを起立状態として、図３に示されるように、作業台８の縁部に係止させる。なお、この際、長手方向である横方向に配置されたストッパー部２０ａは折り畳まれた収納状態とする。
【００２７】
そして、排出部１４ｂにホース２３を接続し、ホース２３の先端をバケツ２４内に入れてセットする。ホース２３は、所定の長さを有し、柔軟性を有する部材、例えば、樹脂ゴム部材を用いることが好ましい。また、バケツ２４は、貯氷器１０から排出される水を所定量貯めることが可能な容量を有している。
【００２８】
その後、店員６は、収納本体部１８から網目部１６を取り外して製氷機の場所まで移動し、氷を取り出すためのスコップ部材２６を用いて、網目部１６内に複数の氷を収納する。
【００２９】
次いで、元の位置に戻って、網目部１６を収納本体部１８へ装着する。このように、一度セットした後は、お客様から飲み物の注文が入った場合、いちいち製氷機の場所に移動して蓋を開ける必要がなく、スコップ部材２６を用いて収納部１２から氷を取り出すことができるため作業効率が高くなるという利点がある。
【００３０】
また、この状態で時間が経過して、氷が溶けてしまった場合であっても、網目部１６の網目を通過した水は収納本体部１８に設けられた排出部１４に向かって流れ込み、ホース２３を介してバケツ２４に貯水される。
【００３１】
このように、収納本体部１８に水が貯まることがないため、収納部１２から逐一水を廃棄する必要がなく、バケツ２４に所定量の水が貯まったときに、水を廃棄するだけでよいため作業効率が高まるという効果がある。
【符号の説明】
【００３２】
６  店員、８  作業台、１０  貯氷器、１２  収納部、１４，１４ａ，１４ｂ  排出部、１６  網目部、１８  収納本体部、２０，２０ａ，２０ｂ  ストッパー部、２１，２１ａ，２１ｂ  板部、２２，２２ａ，２２ｂ  回動機構、２３  ホース、２４  バケツ、２６  スコップ部材。
【図１】
0003204920.tif 000003
【図２】
0003204920.tif 000004
【図３】
0003204920.tif 000005